(57)【要約】【課題】光ディスク記録装置のレーザ光を利用して光ディスクの表面に文字や画像などの可視情報を形成することができる光ディスク及びその光ディスク記録装置を提供するもので、特に薄型の光ディスク記録装置に適する。【解決手段】光ディスク１は、０．６ｍｍ基材厚の透明基板２と保護基板３とを接着部材４にて接着した貼合わせディスク構成で、透明基板２にデータ記録層５、反射層６が積層され、保護基板３は感熱層１１、透明保護層１２が積層され、内周部は表面より突出したディスククランプ領域面８を有し、ディスククランプ領域面８のディスク厚みが１．４ｍｍ、それ以外の厚みが１．２ｍｍとなっている。光ディスク記録装置３１は、ターンテーブル３２、０．６ｍｍ基板に適する対物レンズ５７を含む光学部材を具備した光ピックアップ３５を備え、光ディスク１の突出部７をターンテーブル３２にセットして、対物レンズ３５からのレーザ光を感熱層１１に合焦点させて可視情報を記録する。【選択図】図９
2005310288.tif 000002
【特許請求の範囲】
【請求項１】
一方の面側に透明基板が設けられるとともに、この透明基板を通して照射されたレーザ光により記録されるデータ記録層が設けられ、
透明基板側表面と反対の表面側に、レーザ光の照射によって可視情報を形成できる可視情報記録層が設けられた光ディスクであって、
可視情報記録層側のディスククランプ領域面を含む内周部に、可視情報記録層側の表面より突出して、その突出した端面から可視情報記録層までの光学的距離が、透明基板側表面からデータ記録層までの光学的距離に近くなるようにまたは同等になるように配置させる突出部を形成したことを特徴とする光ディスク。
【請求項２】
可視情報記録層が設けられている箇所のディスク厚みが１．２ｍｍであり、
突出部が設けられている箇所のディスク厚みが１．４ｍｍ以下であることを特徴とする請求項１記載の光ディスク。
【請求項３】
ディスククランプ領域面より外側で可視情報記録層の領域より内側に、光学的に検出可能なディスクモータ回転同期用のＦＧパターンとディスク位置検出用の基準パターンとを形成したことを特徴とする請求項１または２に記載の光ディスク。
【請求項４】
突出部はディスク厚みが１．２ｍｍの光ディスクに環状シールを貼付けた構成であり、この環状シールにＦＧパターンと基準パターンとが形成されたことを特徴とする請求項３に記載の光ディスク。
【請求項５】
請求項１〜４の何れか１項に記載の光ディスクに可視情報を記録する光ディスク記録装置であって、
ターンテーブルが具備されたディスクモータと、
ディスクモータの回転を制御するディスクモータ駆動回路と、
可視情報を記録するための対物レンズを含む光学部材を具備した光ピックアップと、
光ピックアップから出射されるレーザ光を変調するレーザ駆動回路と、
光ピックアップを光ディスクの半径方向に移動させる光ピックアップ移送機構と
を具備し、
光ディスクの可視情報記録層側のディスククランプ領域面をターンテーブルに装着した状態で前記光ディスクを回転させるとともに光ピックアップを半径方向に移送させながら、前記光ピックアップの可視情報データに基づいて変調されたレーザ光を可視情報記録層に合焦点させて照射することにより、前記可視情報記録層に可視情報を形成するように構成したことを特徴とする光ディスク記録装置。
【請求項６】
光学部材の対物レンズが、１．２ｍｍより薄い透明基板に適したもので構成していることを特徴とする請求項５に記載の光ディスク記録装置。
【請求項７】
光ディスクには、光学的に検出可能なディスクモータ回転同期用のＦＧパターンとディスク位置検出用の基準パターンとが可視情報記録層側に形成されており、前記光ディスク記録装置には前記ＦＧパターンと前記基準パターンとを検出するフォトカップラが設けられ、このフォトカップラで検出した前記ＦＧパターンからの信号を前記ディスクモータ駆動に入力してディスクモータの回転を制御するとともに、前記基準パターンからの信号を前記レーザ駆動回路に入力してディスク回転位置に応じてレーザ光を照射するように構成していることを特徴とする請求項５または６に記載の光ディスク記録装置。
【請求項８】
光ピックアップは０．６ｍｍ基板に適する対物レンズを含む光学部材を具備しており、  この光学部材を、可視情報を形成するための光ピックアップに使用するように構成していることを特徴とする請求項５〜７の何れか１項に記載の光ディスク記録装置。
【請求項９】
光ピックアップはＣＤディスク用の光学系とＤＶＤディスク用の光学系とを具備しており、ＤＶＤディスク用の光学系を、可視情報を形成するための光ピックアップに使用することを特徴とする請求項５〜８の何れか１項に記載の光ディスク記録装置。
【発明の詳細な説明】
【技術分野】
【０００１】
本発明は、光ディスク記録装置のレーザ光を利用して光ディスクの表面に文字や画像などの可視情報を形成することができる光ディスク及び光ディスク記録装置に関し、特に薄型の光ディスク記録装置に好適に利用できるものである。
【背景技術】
【０００２】
レーザ光を利用して光ディスクの表面に可視情報を形成することができる従来の光ディスクは、１．２ｍｍの基板上に、データ記録層、反射層、感熱層、透明保護層が積層された構造となっていて、いわゆる光ディスクのＣＤ規格に適合するものである。感熱層は所定パワー以上のレーザ光が照射されると照射箇所の色が変化する感熱材料から構成されている。この光ディスクを光ディスク記録装置のターンテーブルに裏返して装着し、感熱層を光ピックアップと対向させた状態で回転させ、光ピックアップのレーザ光が感熱層に焦点が合うようにしてから、形成すべき可視情報に基づきパワー変調されたレーザ光を感熱層に照射して可視情報を形成している。（例えば、特許文献１参照。）
【特許文献１】特開２００３−２０３３４８号公報（第１９頁、図２６、図２７）
【発明の開示】
【発明が解決しようとする課題】
【０００３】
しかしながら、前記従来の構成では、可視情報の形成に１．２ｍｍ基板用であるＣＤディスク用光ピックアップを用い、感熱層を光ピックアップと対向させた状態で光ピックアップのレーザ光が感熱層に焦点が合うように構成しているため、かかる合焦点位置は記録層側を光ピックアップと対向した通常の光ピックアップの合焦点位置より約０．８ｍｍ程度異なる。従って、光ピックアップにおける対物レンズアクチュエータのフォーカス方向の可動範囲を広く取る必要がある。光ピックアップにおける対物レンズアクチュエータのフォーカス方向の可動範囲が十分でない場合の対策としては、光ディスクとターンテーブルとの間に所定厚みのアダプタを挟む構成、あるいは光ピックアップを所定量だけターンテーブルから離間させる駆動機構を設ける構成が考案されている。
【０００４】
しかしながら、上記のような対物レンズの合焦点位置が大きく異なる構成では、通常の光ディスク記録装置と較べて高さ方向に０．８ｍｍ以上の空間余裕が必要となり、厚さ１２．７ｍｍ以下の薄型の光ディスク記録装置では空間余裕がないために実現困難であるという課題を有していた。そして、光ディスクとターンテーブルとの間に所定厚みのアダプタを挟む構成では、ディスククランプの隙間が大きく異なるので、マグネットクランプ方式では規定のクランプ力を確保することが困難であり、光ディスクの中心孔をクランプ爪で保持するメカニカルクランプ方式も適用が困難であるという課題を有していた。さらには、使用者がアダプタをその都度セットする必要があるため操作性に問題があり、光ディスクを光ディスク記録装置の挿入口から直接挿入するスロットローディング方式の装置には対応できないという課題も有していた。また、光ピックアップを所定量だけターンテーブルから離間させる駆動機構を設ける構成では、装置構成が複雑になり装置が高価になるという課題を有していた。
【０００５】
本発明は、前記従来の構成の課題を解決するもので、装置高さが１２．７ｍｍ以下の薄型の光ディスク記録装置にも適用でき、光ディスク記録装置のレーザ光を利用して光ディスクの表面に文字や画像などの可視情報を形成することができる光ディスク及び光ディスク記録装置を提供することを目的とする。
【課題を解決するための手段】
【０００６】
前記従来の課題を解決するために、本発明の光ディスクは、一方の面側に透明基板が設けられるとともに、この透明基板を通して照射されたレーザ光により記録されるデータ記録層が設けられ、透明基板側表面と反対の表面側に、レーザ光の照射によって可視情報を形成できる可視情報記録層が設けられた光ディスクであって、可視情報記録層側のディスククランプ領域面を含む内周部に、可視情報記録層側の表面より突出して、その突出した端面から可視情報記録層までの光学的距離が、透明基板側表面からデータ記録層までの光学的距離に近くなるようにまたは同等になるように配置させる突出部を形成したことを特徴とするものである。なお、可視情報記録層が設けられている箇所のディスク厚みが１．２ｍｍであり、突出部が設けられている箇所のディスク厚みが１．４ｍｍ以下であるように構成すると好適である。また、ディスククランプ領域面より外側で可視情報記録層の領域より内側に、光学的に検出可能なディスクモータ回転同期用のＦＧパターンとディスク位置検出用の基準パターンとを形成したことを特徴とするものである。さらには、前記突出部はディスク厚みが１．２ｍｍの光ディスクに環状シールを貼付けた構成であり、この環状シールにＦＧパターンと基準パターンとが形成されたことを特徴とするものである。
【０００７】
また、本発明の光ディスク記録装置は、前記光ディスクに可視情報を記録する光ディスク記録装置であって、ターンテーブルが具備されたディスクモータと、ディスクモータの回転を制御するディスクモータ駆動回路と、可視情報を記録するための対物レンズを含む光学部材を具備した光ピックアップと、光ピックアップから出射されるレーザ光を変調するレーザ駆動回路と、光ピックアップを光ディスクの半径方向に移動させる光ピックアップ移送機構とを具備し、光ディスクの可視情報記録層側のディスククランプ領域面をターンテーブルに装着した状態で前記光ディスクを回転させるとともに光ピックアップを半径方向に移送させながら、前記光ピックアップの可視情報データに基づいて変調されたレーザ光を可視情報記録層に合焦点させて照射することにより、前記可視情報記録層に可視情報を形成するように構成したことを特徴とするものである。なお、光学部材の対物レンズが、１．２ｍｍより薄い透明基板に適したもので構成することが好適である。また、光ディスクには、光学的に検出可能なディスクモータ回転同期用のＦＧパターンとディスク位置検出用の基準パターンとが可視情報記録層側に形成されており、前記光ディスク記録装置には前記ＦＧパターンと前記基準パターンとを検出するフォトカップラが設けられ、このフォトカップラで検出した前記ＦＧパターンからの信号を前記ディスクモータ駆動に入力してディスクモータの回転を制御するとともに、前記基準パターンからの信号を前記レーザ駆動回路に入力してディスク回転位置に応じてレーザ光を照射することを特徴とするものである。さらには、光ディスク記録装置の光ピックアップは０．６ｍｍ基板に適する対物レンズを含む光学部材を具備しており、この光学部材を、可視情報を形成するための光ピックアップに使用するように構成していることを特徴とするものである。また、光ディスク記録装置の光ピックアップはＣＤディスク用の光学系とＤＶＤディスク用の光学系を具備しており、ＤＶＤディスク用の光学系を可視情報を形成するための光ピックアップに使用することを特徴とするものである。
【発明の効果】
【０００８】
本発明の光ディスクによれば、ＣＤやＤＶＤの光ディスク規格に適合した光ディスク形状にて、可視情報を記録するために光ディスクをターンテーブルにセットした状態での感熱層の位置と、データ情報を記録するために光ディスクをターンテーブルにセットした状態でのデータ記録層の位置との光学的距離を、従来の光ディスクに較べて近づけることができるので、かかる光ディスクにデータ情報と可視情報とを記録する光ディスク記録装置に搭載された光ピックアップの対物レンズの移動量を小さくできる。
【０００９】
さらに本発明の光ディスクに可視情報を記録する光ディスク記録装置によれば、可視情報を記録するための１．２ｍｍより薄い透明基板に適する対物レンズを含む光学部材を具備した光ピックアップを使用できるので、従来の１．２ｍｍ基板用の光学系を使用する場合に較べて、感熱層を光ピックアップと対向させた状態でレーザ光を感熱層に合焦点する対物レンズの位置が、記録層側を光ピックアップと対向した状態でレーザ光をデータ記録層に合焦点する対物レンズの位置に近づき、その結果、通常の光ディスク記録装置に可視情報を記録するための付加機能を追加する必要がなく、本発明に該当する光ピックアップを搭載した光ディスク記録装置ではローディング機構、ディスククランプ方式の違いを問わず適用可能であり、特に装置高さが１２．７ｍｍ以下の薄型の光ディスク記録装置にも適用できる。
【発明を実施するための最良の形態】
【００１０】
以下に、本発明の実施の形態に係る光ディスク及び光ディスク記録装置を図面とともに詳細に説明する。
（実施の形態１）
図１は、本発明の第１の実施の形態に係る光ディスクの部分断面を示す。図２は、同実施の形態の光ディスクの突起部の平面図である。
【００１１】
図１において、光ディスク１は、ポリカーボネイト等の０．６ｍｍ基材厚からなる透明基板２と０．６ｍｍ基材厚からなる保護基板３とをＵＶ硬化樹脂等の接着部材４にて接着した貼合わせディスク構成になっている。かかるディスク構成はＤＶＤディスクの構成と同じである。透明基板２の片側には案内溝（図示せず）が形成され、案内溝面にデータ記録層５、反射層６が積層されている。保護基板３の内周部は表面より突出した突出部７を具備しており、突出部７の面はディスククランプ領域面８が含まれている。突出部７は射出成形にて保護基板３に一体成形されている。さらに、突出部７のディスククランプ領域面８の外側に光学的に検出可能なディスクモータ回転同期用のＦＧパターン９とディスク位置検出用の基準パターン１０とが形成されている（図２参照）。
【００１２】
図２に示すように、ＦＧパターン９は一定幅の放射状パターンで、基準パターン１０はＦＧパターン９の幅より広いパターンからなっている。ＦＧパターン９と基準パターン１０とは凹凸パターンからなり、金型に凹凸の転写パターンを形成し、射出成形時に突出部７に転写される。なお、ＦＧパターン９と基準パターン１０とは後述するフォトカップラで検出できればよいので、凹凸形状に限ることはなく、スクリーン印刷で形成してもよい。
【００１３】
図１に示すように、保護基板３の表面には、可視情報記録層となる感熱層１１と、透明な保護層１２とが積層されている。感熱層１１は所定パワー以上のレーザ光が照射されると照射箇所の色が変化する感熱材料から構成されている。本発明に適する感熱材料の一例としては、カプセル内部に顔料があるマイクロカプセル顔料がある。マイクロカプセル顔料に所定パワー以上のレーザ光を照射するとマイクロカプセルが溶解して発色する。保護層１２は光ディスクで使用されている表面保護用のハードコート材料からなり、この保護層１２の厚みは２〜１０ミクロンである。
【００１４】
光ディスク１の厚さは、ディスククランプ領域面８のディスク厚みが１．４ｍｍ、それ以外のディスク厚みが１．２ｍｍとなっていて、この数値はＤＶＤディスクの規格に適合した数値となっている。なお、本実施の形態では突出部７を一体成形にて形成したが、突出部７は図３に示すような厚み０．２ｍｍの環状シール１３を、ディスク厚みが１．２ｍｍの光ディスクに貼付けてもよい。環状シール１３にはＦＧパターン９と基準パターン１０とが印刷されている。環状シール１３を使用する場合は既存のＣＤやＤＶＤの樹脂基板を使用することができるので新たな成形金型などの設備投資が不要となる。
（実施の形態２）
図４は、本発明の第２の実施の形態に係る光ディスクの部分断面を示す。
【００１５】
図４において、光ディスク２１は、ポリカーボネイト等の１．２ｍｍ基材厚からなる透明基板２２であり、透明基板２２の片側には案内溝（図示せず）が形成され、案内溝面にデータ記録層２３、反射層２４、感熱層２５、透明保護層２６が積層されている。透明基板２２の内周部は表面より突出した突出部２７を具備しており、突出部２７の面はディスククランプ領域面２８となっている。光ディスク２１の厚さは、ディスククランプ領域面２８のディスク厚みが１．４ｍｍ、それ以外のディスク厚みが１．２ｍｍとなっていて、この数値はＣＤディスクの規格に適合した数値となっている。上述した構成以外については第１の実施の形態に係る光ディスク１の構成と同じであるので詳細な説明は省略する。
（実施の形態３）
図５は、本発明の第１および第２の実施の形態に係る光ディスクに可視情報を形成するための光ディスク記録装置のブロック構成図である。また、図６は光ディスク記録装置の光ピックアップの構成を示す図、図７の（ａ）と（ｂ）とは第１の実施の形態に係る光ディスクと第２の実施の形態に係る光ディスクにデータを記録再生する場合の光ピックアップの光学経路を示す図、図８は本発明の光ディスク記録装置の動作を説明するフローチャート、図９の（ａ）および（ｂ）はそれぞれ本発明の光ディスクに可視情報を記録する場合の対物レンズの位置関係を示す図である。
【００１６】
図５に示すように、光ディスク記録装置３１は、ターンテーブル３２が具備されたディスクモータ３３、ディスクモータ３３の回転を制御するディスクモータ駆動回路３４、光ディスク１あるいは光ディスク２１（以下、光ディスク１、２１と記載する）に可視情報を記録するための光ピックアップ３５、ＲＦアンプ３６、光ピックアップ駆動回路３７、光ピックアップ３５を光ディスク１、２１の半径方向に移送するためのステッピングモータ３８に連結された光ピックアップ移送機構３９、光ディスク１、２１のＦＧパターン９と基準パターン１０とを検出するフォトカップラ４０、光ピックアップ３５から出射されるレーザ光を変調するレーザ駆動回路４１、コントローラ４２、メモリバッファ４３、インタフェース回路４４から構成されている。
【００１７】
ここで、光ピックアップ３５は、１．２ｍｍ基板のＣＤディスクと０．６ｍｍ基板のＤＶＤディスクとの両方の光ディスクに情報を記録することができるＣＤ／ＤＶＤ記録用光ピックアップであり、図６を用いて説明する。光ピックアップ３５は、発振波長６３５ｎｍの半導体レーザを備えたレーザ検出器一体モジュール５１、発振波長７８０ｎｍの半導体レーザを備えたレーザ検出器一体モジュール５２、偏光ビームスプリッタ５３、集光レンズ５４、ミラー５５、波長板５６、対物レンズ５７、フォーカスアクチュエータ５８、トラッキングアクチュエータ５９を備えている。
【００１８】
ここで、図７（ａ）は０．６ｍｍ基板の光ディスク１にデータを記録再生する場合、図７（ｂ）は１．２ｍｍ基板の光ディスク２１にデータを記録再生する場合を示している。図７（ａ）において、レーザ検出器一体モジュール５１から出射した光は偏光ビームスプリッタ５３を透過し、集光レンズ５４により略平行な光ビームとなり、ミラー５５で反射し、波長板５６と対物レンズ５７とを透過して、光ディスク１のデータ記録層上に光スポットを形成する。光ディスク１で反射した光ビームは、同じ経路を戻り、レーザ検出器一体モジュール５１の光検出器で受光される。光検出器は、再生信号を検出すると共に、フォーカス制御信号、トラッキング制御信号を検出する。図７（ｂ）において、レーザ検出器一体モジュール５２から出射した光ビームは、偏光ビームスプリッタ５３で反射し、集光レンズ５４により少し発散した光ビームとなり、ミラー５５で反射し、波長板５６と対物レンズ５７を透過して、光ディスク２１のデータ記録層上に光スポットを形成する。光ディスク２１で反射した光ビームは、同じ経路を戻り、レーザ検出器一体モジュール５２の光検出器で受光される。
【００１９】
上記構成の光ディスク記録装置３１の動作について説明する。この光ディスク記録装置３１は、光ディスク１、２１のデータ記録層５、２３にデータを記録することが可能であるとともに、感熱層１１、２５に画像データなどの可視情報を形成することができるように構成されている。以下、データ記録および可視情報形成の動作について図８を用いて説明する。
【００２０】
光ディスク記録装置３１のターンテーブル３２に光ディスク１、２１がセットされる（ステップＳ１）と、コントローラ４２からの指令に基づいて、ディスクモータ駆動回路３４によりディスクモータ３３が回転される。つぎに、フォトカップラ４０がＦＧパターン９あるいは基準パターン１０を検出するか判定する（ステップＳ２）。検出されない場合は、光ディスク１、２１のデータ記録層５、２３が光ピックアップ３５と対向するようにセットされていることがわかる。一方、検出された場合には光ディスク１、２１の感熱層１１、２５が光ピックアップ３５と対向するようにセットされていることがわかる。なお、ＦＧパターン９や基準パターン１０の検出の有無によっていずれの面が光ピックアップ３５に向けてセットされたかを検出する方法を述べたが、フォーカスエラー信号のＳ字出力値の相違を検出するようにしてもよい。このように、この実施の形態では、ＦＧパターン９や基準パターン１０またはフォーカスエラー信号のＳ字出力値の相違などを、これらを検出することで光ディスク１、２１の向きを判定するための被判定用手段として用いている。
【００２１】
光ディスク１、２１のデータ記録層５、２３が光ピックアップ３５と対向するように光ディスク１、２１がセットされていると判断した場合には、光ピックアップ３５の半導体レーザを再生パワーにて光ディスクに照射して、フォーカスエラー信号のＳ字出力値の相違より光ディスク１か光ディスク２１かを判定する（ステップＳ３）。セットされた光ディスクが光ディスク１の場合には、光ピックアップ３５を図７（ａ）の光学経路にセットし動作させる（ステップＳ４）。一方、セットされた光ディスクが光ディスク２１の場合には、光ピックアップ３５を図７（ｂ）の光学経路にセットして動作させる（ステップＳ６）。そしてＲＦアンプ３６からの信号に基づき光ピックアップ駆動回路３７からの制御用駆動電流にてフォーカスアクチュエータ５８、トラッキングアクチュエータ５９を動作させ、光スポットを光ディスクのデータ記録層のトラックに追従させる。つぎに、ステッピングモータ３８を駆動して光ピックアップ移送機構３９を移動させ光スポットを記録すべき所定のトラック上に追従させる。コントローラ４２はインタフェース回路４４を介して外部からメモリバッファ４３に供給される記録データに基づき、レーザ駆動回路４１により光ピックアップ３５から出射されるレーザ光を変調して光ディスクにデータ情報を記録する（ステップＳ５、Ｓ７）。なおデータ情報を記録するための制御方法は、従来の光ディスク記録装置と同様であるため、詳しい動作については説明を省略する。
【００２２】
一方、セットされた光ディスク１、２１の感熱層１１、２５が光ピックアップ３５と対向するように光ディスク１、２１がセットされていると判断した場合には、ＦＧパターン９を検出したフォトカップラ４０からのＦＧ信号をディスクモータ駆動回路３４に入力し、所定の角速度でディスクモータ３３を回転させる。また、基準パターン１０を検出したフォトカップラ４０からの基準信号はコントローラ４２に入力され、可視情報を記録するためのタイミング信号を生成する。
【００２３】
以下の説明は光ディスク１がセットされたとして説明する。コントローラ４２の指令により光ピックアップ３５を図７（ａ）に示す０．６ｍｍ基板用の光学経路にセットし（ステップＳ８）、光ピックアップ駆動回路３７によりフォーカスアクチュエータ５８を駆動して光ディスク１の感熱層１１に光スポットの焦点が合うようにフォーカス制御を行う。光ディスク１はディスククランプ領域面８が保護基板３の感熱層１１より０．２ｍｍ突出しているので、図９（ｂ）に示すように感熱層１１はターンテーブル３２より０．２ｍｍ離間した位置にある。かかる位置は光ディスク１にデータを記録するために、データ記録層５が光ピックアップ３５と対向するようにターンテーブル３２にセットされた場合のデータ記録層５の位置（図９（ａ）参照）とは寸法ｄ１＝０．４ｍｍ離れている。この０．４ｍｍは屈折率約１．５５のポリカーボネイトを介した距離であるので、光学的距離としては寸法ｄ２の０．２６ｍｍとなる。したがって、対物レンズ５７はデータ記録時と較べて０．２６ｍｍだけ上方にオフセットする必要がある。しかし、フォーカスアクチュエータ５８の対物レンズ５７の可動範囲はハーフハイト高さの光ディスク記録装置で１．６ｍｍ程度、１２．７ｍｍ高さの光ディスク記録装置でも１．２ｍｍ程度あるので、このオフセット量は通常のフォーカスアクチュエータ５８の性能範囲にある。従来は、光ピックアップの対物レンズのフォーカスアクチュエータの可動範囲を超える対策として、光ディスクとターンテーブルの間に所定厚みのアダプタを挟む構成、あるいは光ピックアップを所定量だけターンテーブルから離間させる駆動機構を設けていたが、本実施例ではそのような付加機構をつける必要がない。
【００２４】
フォーカス制御した後、ステッピングモータ３８を駆動して光ピックアップ移送機構３９を所定位置まで移送する（ステップＳ１０）。かかる位置より、コントローラ４２はステップＳ９においてインタフェース回路４４を介して外部からメモリバッファ４３に供給された可視情報データを光ディスク１に記録するための制御を行う。すなわち、コントローラ４２は、基準パターン１０を検出したフォトカップラ４０からの基準信号より可視情報を記録するためのタイミング信号を生成し、かかるタイミング信号を起点にメモリバッファ４３に供給された可視情報データに基づきレーザ駆動回路４１を駆動して、光ピックアップ３５から出射されるレーザ光をパルス変調する。感熱層１１はパルス変調のピークパワー出力にてマイクロカプセルが溶解し変色するので、パルス変調したレーザ光にて感熱層１１にディスク１周分の可視情報を記録することができる（ステップＳ１１）。その後、ステッピングモータ３８を１ステップ駆動し光ピックアップ移送機構３９を所定距離動かして（ステップＳ１２）、前述した動作にて１周分の可視情報を記録していき、可視情報を感熱層１１に完成させる（ステップＳ１３、Ｓ１４）。ディスク２１に可視情報を記録する場合も前述した動作と同様であるので説明を省略する。
【００２５】
以上のように、本発明の光ディスク１、２１によれば、可視情報記録層である感熱層１１、２５側のディスククランプ領域面８、２８を含む内周部に、感熱層１１、２５側の表面より突出する突出部７、２７を形成して、その突出部７、２７の端面から感熱層１１、２５までの光学的距離が、透明基板２、２２側の表面からデータ記録層５、２３までの光学的距離に近くなるように配置させたので、可視情報を記録するために光ディスク１、２１をターンテーブル３２にセットした状態での感熱層１１、２５の位置と、データ情報を記録するために光ディスク１、２１をターンテーブル３２にセットした状態でのデータ記録層５、２３の位置との光学的距離を、従来の光ディスクに較べて近づけることができ、この結果、かかる光ディスク１、２１にデータ情報と可視情報とを記録する光ディスク記録装置３１に搭載された光ピックアップ３５の対物レンズ５７の移動量を小さくできる。したがって、上述したように、光ディスク記録装置３１に必要なオフセット量を通常のフォーカスアクチュエータ５８の性能範囲内にすることができて、本実施の形態の光ディスク記録装置によれば従来のような付加機構が不要であるので、光ディスク記録装置３１の形態で制限を受けることがなく、あらゆるディスククランプ方式、ディスクローディング方式に適用でき、特に装置高さが１２．７ｍｍ以下の薄型の光ディスク記録装置にも好適である。
【００２６】
なお、本実施の形態では光ディスク１、２１のＦＧパターン９を用いてディスクモータ３３の回転制御を行ったが、ディスクモータにＦＧを具備しているなら光ディスクのＦＧパターンを用いなくてもよい。
【００２７】
また、上記実施の形態では、突出部７、２７の端面から感熱層１１、２５までの光学的距離が、透明基板２、２２側の表面からデータ記録層５、２３までの光学的距離に近くなるように配置させた場合を述べたが、これに限るものではなく、突出部の端面から感熱層までの光学的距離が、透明基板側の表面からデータ記録層までの光学的距離と同等になるように配置させてもよく、この場合でも、従来のように光ディスクとターンテーブルとの間に所定厚みのアダプタを挟む構成と比較して、使用者がアダプタをその都度セットする必要がないため操作性が向上する利点がある。しかし、この場合には、ディスククランプの隙間が大きく異なる場合があるので、マグネットクランプ方式では規定のクランプ力を確保する工夫が必要となる。
【産業上の利用可能性】
【００２８】
本発明にかかる光ディスク及びその光ディスク記録装置は、可視情報を記録するために使用する光ピックアップの感熱層の合焦点位置が記録層の合焦点位置に近いので、通常の光ディスク記録装置に可視情報を記録するための付加機能を追加する必要がなく、特に装置高さが１２．７ｍｍ以下の薄型の光ディスク記録装置に有用である。
【図面の簡単な説明】
【００２９】
【図１】本発明の第１の実施の形態に係る光ディスクの部分断面図
【図２】同実施の形態の光ディスクの突起部の平面図
【図３】同実施の形態に係る光ディスクに使用する環状シールの斜視図
【図４】本発明の第２の実施の形態に係る光ディスクの部分断面図
【図５】本発明の第１および第２の実施の形態に係る光ディスクに可視情報を形成するための光ディスク記録装置のブロック構成図
【図６】同光ディスク記録装置の光ピックアップの構成を示す図
【図７】（ａ）は第１の実施の形態に係る光ディスクにデータを記録再生する場合の光ピックアップの光学経路を示す図、（ｂ）は第２の実施の形態に係る光ディスクにデータを記録再生する場合の光ピックアップの光学経路を示す図
【図８】同光ディスク記録装置の動作を説明するフローチャート
【図９】（ａ）および（ｂ）はそれぞれ本発明の光ディスクに可視情報を記録する場合の対物レンズの位置関係を示す図
【符号の説明】
【００３０】
１  光ディスク
２  透明基板
３  保護基板
４  接着部材
５  データ記録層
６  反射層
７  突出部
８  ディスククランプ領域面
９  ＦＧパターン
１０  基準パターン
１１  感熱層
１２  透明保護層
１３  環状シール
３１  光ディスク記録装置
３２  ターンテーブル
３３  ディスクモータ
３４  ディスクモータ駆動回路
３５  光ピックアップ
３６  ＲＦアンプ
３７  光ピックアップサーボ回路
３８  ステッピングモータ
３９  光ピックアップ移送機構
４０  フォトカップラ
４１  レーザ駆動回路
４２  コントローラ
４３  メモリバッファ
４４  インタフェース回路
５１、５２  レーザ検出器一体モジュール
５７  対物レンズ
５８  フォーカスアクチュエータ
５９  トラッキングアクチュエータ
【図１】
2005310288.tif 000003
【図２】
2005310288.tif 000004
【図３】
2005310288.tif 000005
【図４】
2005310288.tif 000006
【図５】
2005310288.tif 000007
【図６】
2005310288.tif 000008
【図７】
2005310288.tif 000009
【図８】
2005310288.tif 000010
【図９】
2005310288.tif 000011